(57)【特許請求の範囲】
【請求項１】
タービンエンジン（２８）を支持する第１の移動式ユニットと連結するように構成された第１及び第２の整列ガイドと、発電機（３０）を支持する第２の移動式ユニットと連結するように構成された第１及び第２の結合ガイドと、を含む複数の整列ガイドを含むシステムであって、
前記第１及び第２の整列ガイドは、前記タービンエンジン（２８）を前記発電機（３０）と整列させるのに役立つために前記第１及び第２の移動式ユニット間の連結を案内するように構成され、
前記第１の移動式ユニット上に配設された前記タービンエンジン（２８）と、前記第２の移動式ユニット上に配設された前記発電機（３０）と、を含み、前記第１及び第２の移動式ユニットは、取り外し可能に互いに連結され、
前記第１の移動式ユニットは、第１のトレーラを含み、前記第２の移動式ユニットは、第２のトレーラを含む、システム。
【請求項２】
前記第１の移動式ユニットと前記第２の移動式ユニットとの間の前記連結を整列させるのに役立つように構成された整列システム（１４）を含み、前記整列システム（１４）は、光ビーム（１０１）をターゲット（４８）に照射するように構成されたレーザ（４６）と、前記ターゲット（４８）の映像をキャプチャするように構成されたカメラと、を含む、請求項１記載のシステム。
【請求項３】
前記ターゲット（４８）の前記映像を受け取るように構成された制御システム（５３）を含み、前記映像は、前記第１の移動式ユニットと前記第２の移動式ユニットとの間の前記連結の整列状態を含む、請求項２記載のシステム。
【請求項４】
前記第１及び第２の移動式ユニット間の結合の手順中に前記結合ガイドを監視するように構成されたカメラを含む、請求項１乃至３のいずれかに記載のシステム。
【請求項５】
前記第１及び第２の整列ガイドは、１つ又は複数の雄雌ガイド対を含み、前記１つ又は複数の雄雌ガイド対の各対は、雌整列ガイドと嵌合するように構成された雄整列ガイドを含む、請求項１乃至４のいずれかに記載のシステム。
【請求項６】
前記雄整列ガイドは、ピン（２４）を含み、前記雌整列ガイドは、開口を含む、請求項５記載のシステム。
【請求項７】
前記ピン（２４）は、先細部分を含む、請求項６記載のシステム。
【請求項８】
前記ピン（２４）は、円筒状の基部部分と前記先細部分とを含む、請求項７記載のシステム。
【請求項９】
前記第１の整列ガイドは、第１の雄整列ガイド又は第１の雌整列ガイドを有する第１の結合板を有し、前記第２の整列ガイドは、第２の雄整列ガイド又は第２の雌整列ガイドを有する第２の結合板を有する、請求項５記載のシステム。
【請求項１０】
前記タービンエンジン（２８）と前記発電機（３０）との間の前記連結の整列をシミュレートするように構成された、前記タービンエンジン（２８）及び前記発電機（３０）の回転軸基準を有する整列フレームを含む、請求項１乃至９のいずれかに記載のシステム。
【請求項１１】
タービンエンジン（２８）を支持する第１の移動式ユニットと、
発電機（３０）を支持する第２の移動式ユニットと、
前記第１の移動式ユニットと連結された第１の整列ガイドと、前記第２の移動式ユニットと連結された第２の整列ガイドと、を含む結合ガイドであって、前記第１及び第２の整列ガイドが、前記タービンエンジン（２８）を前記発電機（３０）と整列させるのに役立つために前記第１及び第２の移動式ユニット間の連結を案内するように構成される、結合ガイドと、
前記第１の移動式ユニットと前記第２の移動式ユニットとの間の前記連結を整列させるのに役立つように構成され、光ビーム（１０１）をターゲット（４８）に照射するように構成されたレーザ（４６）と前記ターゲット（４８）の映像をキャプチャするように構成されたカメラとを含む整列システム（１４）と、
を含むシステム。
【請求項１２】
タービンエンジン（２８）を支持する第１の移動式ユニットと発電機（３０）を支持する第２の移動式ユニットとの間の連結を整列させるのに役立つように構成された整列システム（１４）を含み、前記整列システム（１４）は、光ビーム（１０１）をターゲット（４８）に照射するように構成されたレーザ（４６）と、前記ターゲット（４８）の映像をキャプチャするように構成されたカメラと、を含む、システム。
【請求項１３】
前記レーザ（４６）、前記ターゲット（４８）、及び前記カメラは、前記第１又は第２の移動式ユニットのトレーラスパイン（２２）に沿って搭載するように構成される、請求項１２に記載のシステム。
【請求項１４】
前記レーザ（４６）は、前記トレーラスパイン（２２）に沿って第１の領域内に搭載するように構成され、前記ターゲット（４８）及び前記カメラは、前記トレーラスパイン（２２）に沿って第２の領域内に搭載するように構成され、前記第１及び第２の領域は、前記トレーラスパイン（２２）に沿って所定の距離だけ互いにオフセットしている、請求項１３に記載のシステム。
【請求項１５】
前記レーザ（４６）は、光ビーム（１０１）を前記ターゲット（４８）上に照射するように構成され、前記カメラは、長手軸に対する前記トレーラスパイン（２２）の整列を示すものとして前記ターゲット（４８）上の前記光ビーム（１０１）の位置の映像を取得するように構成される、請求項１４に記載のシステム。
【請求項１６】
前記ターゲット（４８）上の前記光ビーム（１０１）の前記映像を受け取るように構成された制御システム（５３）を含み、前記制御システム（５３）は、前記ターゲット（４８）上の前記光ビーム（１０１）の前記位置に基づいて整列状態を決定するように構成される、請求項１５に記載のシステム。
【請求項１７】
前記第１の移動式ユニットと連結するように構成された第１の整列ガイドと、前記第２の移動式ユニットと連結するように構成された第２の整列ガイドと、 を含む結合ガイドを含み、前記第１及び第２の整列ガイドは、前記タービンエンジン（２８）を前記発電機（３０）と整列させるのに役立つために前記第１及び第２の移動式ユニット間の前記連結を案内するように構成される、請求項１２乃至１６のいずれかに記載のシステム。
【発明の詳細な説明】
【技術分野】
【０００１】
本明細書に開示し主題は、ガスタービンシステムに関し、より詳細には、移動式タービンシステムの様々なセクションなどの移動式ターボ機械を整列（ａｌｉｇｎｉｎｇ）させるためのシステム及び方法に関する。
【背景技術】
【０００２】
ガスタービンは、用途に基づいた多くの陸地や海洋で使用されている。例えば、ガスタービンは、電力網用の電力を発生させるために発電機に連結されることがある。ガスタービンを発電機に連結するプロセスは、外的条件にもよるが、数時間から数日の長きにわたることがある様々な整列（ａｌｉｇｎｍｅｎｔ）技術を利用することができる。ガス駆動式発電機の休止時間は、収入減、電圧低下、又は停電をもたらすことがある。したがって、より高速な整列技術やガスタービンと発電機間のより高い整列の再現性（例えば、信頼性）のためのシステム及び方法を提供することが有益なことがある。
【先行技術文献】
【特許文献】
【０００３】
【特許文献１】米国特許出願公開第２００５／１０３０１７号明細書
【発明の概要】
【０００４】
当初権利請求した本発明の範囲における相応の特定の実施形態については、下に要約してある。それらの実施形態は、権利請求した本発明の範囲を限定することを意図しておらず、むしろ、それらの実施形態は、本発明の可能な形態の簡潔な概要を提供することだけを意図している。実際に、本発明は、下で述べる実施形態と類似の又はそれと異なり得る様々な形態を網羅することができる。
【０００５】
第１の実施形態では、システムは、タービンエンジンを支持する第１の移動式ユニットと連結するように構成された第１の整列ガイドと、発電機を支持する第２の移動式ユニットと連結するように構成された第２の整列ガイドと、を含む結合ガイド（ｄｏｃｋｉｎｇ  ｇｕｉｄｅ）を含む。第１及び第２の整列ガイドは、タービンエンジンを発電機と整列させるのに役立つために第１及び第２の移動式ユニット間の連結を案内するように構成される。
【０００６】
第２の実施形態では、装置は、タービンエンジンを支持する第１の移動式ユニットと発電機を支持する第２の移動式ユニットとの間の連結を整列させるのに役立つように構成された整列システムを含む。整列システムは、光ビームをターゲットに照射するように構成されたレーザと、ターゲットの映像をキャプチャするように構成されたカメラと、を含む。
【０００７】
第３の実施形態では、システムは、タービンエンジンを支持する第１の移動式ユニットと、発電機を支持する第２の移動式ユニットと、結合ガイドと、を含む。結合ガイドは、第１の移動式ユニットと連結された第１の整列ガイドと、第２の移動式ユニットと連結された第２の整列ガイドと、を含む。第１及び第２の整列ガイドは、タービンエンジンを発電機と整列させるのに役立つために第１及び第２の移動式ユニット間の連結を案内するように構成される。整列システムは、第１の移動式ユニットと第２の移動式ユニットとの間の連結を整列させるのに役立つように構成される。整列システムは、光ビームをターゲットに照射するように構成されたレーザと、ターゲットの映像をキャプチャするように構成されたカメラと、を同じく含む。
【０００８】
本発明のこれらや他の特徴、態様、及び利点については、以下の詳細な説明が、図面全体にわたって同様の符号が同様の部品を指す添付の図面を参照して解釈されるとき、より良く理解されるであろう。
【図面の簡単な説明】
【０００９】
【図１】機械式結合システム及び機械式整列システムを図示しているタービンシステムの実施形態の概略図であり、ここで機械式結合システムは、タービントレーラ及び発電機トレーラに連結され、また、整列システムは、タービントレーラのタービントレーラスパイン内に配設されている。
【図２】図１の機械式結合システムの実施形態の概略図であり、ここで機械式結合システムは、図１の発電機トレーラに連結された発電機結合板に向けて逆方向に動く図１のタービントレーラに連結されたタービン結合板を含む。
【図３】図１の機械式結合システムの実施形態の概略図であり、ここで機械式結合システムは、図２の発電機結合板に連結された図２のタービン結合板を含む。
【図４】図１の発電機結合板の実施形態の斜視図であり、２つの結合ピンを図示している。
【図５】図１のタービン結合板の実施形態の斜視図であり、４つの実装ウイングと２つの実装側板を図示している。
【図６】図１の機械式結合システムの実施形態の概略図であり、整列基準フレームを更に図示している。
【図７】図１の整列システムの実施形態の概略図であり、後部カメラ及び内部スパインレーザシステムを図示し、ここで内部スパインレーザシステムは、前部カメラ、レーザシステム、及びターゲットを含む。
【図８】図１のコンピュータ及びディスプレイの実施形態の概略図であり、図１の機械式整列システムの中に配設された前部カメラから受け取った映像を図示している。
【図９】図１のタービンに連結されて、図１の結合システムの設置の容易さを向上するのに役立つように構成された輸送ツールの実施形態の概略図である。
【図１０】設置の段階中に図１の結合システムを支持するように構成された設置ツールの実施形態の概略図である。
【発明を実施するための形態】
【００１０】
本発明の１つ又は複数の特有の実施形態について、以下説明する。これらの実施形態の簡潔な説明を提供する目的で、現実の実施における特徴を本明細書に全ては説明していないことがある。理解すべきことは、任意のそういった現実の実施の展開において、任意の工学や設計のプロジェクトにおけると同様に、実施によって異なり得るシステム関連やビジネス関連の制約について遵守するなどの開発者の具体的目標を達成するために、実施に特有の決断を数多く行わなければならない、ということである。更に、理解すべきことは、そういった展開の努力が、複雑且つ時間の要することがあるが、それでも本開示の恩恵を受ける当業者にとっては、日常業務的な設計、製作、及び製造の仕事になるであろう、ということである。
【００１１】
本発明の様々な実施形態の要素を紹介するとき、冠詞「１つの（ａ）」、「１つの（ａｎ）」、「その（ｔｈｅ）」、及び「前記（ｓａｉｄ）」は、その要素が１つ又は複数存在することを意味することを意図している。用語「含む（ｃｏｍｐｒｉｓｉｎｇ）」、「含む（ｉｎｃｌｕｄｉｎｇ）」、及び「有する（ｈａｖｉｎｇ）」は、包括的であることを意図しており、また、列挙した要素以外の追加の要素が存在してもよいことを意味している。
【００１２】
開示した実施形態は、機械式整列システム及び機械式結合システムのためのシステムに向けられており、ガスタービントレーラを発電機トレーラと整列させる、並びに、ガスタービンを発電機と整列させる、ように構成される。開示した実施形態なしでは、ガスタービンを発電機に整列させるための当分野で利用される整列技術は、様々な環境要因にもよるが、数時間ないし数日掛かるかもしれない。例えば、状況によっては、移動式ガスタービン発電機システムは、自然災害緊急時や他の電気不足を招く事件の間などの電気を必要としている場所に輸送されることがある。そういった状況では、整列システム及び結合システムは、タービントレーラを発電機トレーラに現場で整列させる必要性を排除しつつ、タービンを発電機と整列させるように構成することができる。したがって、開示した実施形態によって節約された時間は、迅速な設置及び試運転（ｃｏｍｍｉｓｓｉｏｎｉｎｇ）を可能にし、それは、システム構成要素の休止時間と収入減とを減少させるのに役立つ。加えて、高い整列再現性を備えて現場でトレーラを高速交換する能力は、単位全車の自由度（ｕｎｉｔ  ｆｌｅｅｔ  ｆｌｅｘｉｂｉｌｉｔｙ）を向上させ（例えば、利用可能なタービントレーラ全車の自由度を向上させ）、日程計画、稼働率、衝突などの管理が容易になる。
【００１３】
特定の実施形態では、機械式結合システムは、現場における最初の事前整列の段階（例えば、設置の段階）と試運転の段階で利用されることがある。委託の段階中、機械式結合システム（例えば、結合ステーション）は、タービントレーラに連結されたタービン結合板と、発電機トレーラに連結された発電機結合板と、を含んでいてもよい。具体的には、タービン結合板は、１つ又は複数の実装側板を介してタービントレーラのタービントレーラスパイン（ｓｐｉｎｅ）に連結することができる。更に、発電機結合板は、発電機トレーラに連結されていてもよく、したがって、発電機結合板上の１つ又は複数の結合ピン（例えば、ノックピン）は、タービントレーラが発電機トレーラに対してバックして所定の位置につくときに、タービン結合板上の１つ又は複数のレジスタと係合する。したがって、試運転の段階中、一度タービン結合板が発電機結合板と係合すると、タービントレーラは、発電機トレーラと効果的に整列することができ、したがって、タービンが発電機と整列する。
【００１４】
実施形態によっては、結合システムは、最初の事前整列の段階（例えば、設置の段階）の間、タービントレーラ及び発電機トレーラ、その結果として、タービン及び発電機、の整列のための基準点を提供するように構成された静止型の整列基準フレームを含むことがある。例えば、静止型の整列フレームは、それぞれタービンフランジ及び発電機フランジを真似るための第１の円板（例えば、タービン円板）と第２の円板（例えば、発電機円板）とを用いて、トレーラの事前整列の間、最初にタービントレーラ及び発電機トレーラを集めて整列させるために使用されることがある。したがって、機械式結合システムは、その後の、試運転の段階中のタービントレーラ及び発電機トレーラを介したタービン及び発電機の整列のために、利用されることがある。その後の整列は、より高信頼度の整列再現性を備えて行うことができ、トレーラシステムの自由度を向上させると共に整列スケジュール間の休止時間を量的に短縮させる。
【００１５】
機械式整列システムは、タービントレーラスパイン内に配設されることがあり、また、試運転及び／又は設置の段階中のタービントレーラの整列状態を分析及び／又は決定するように構成されることがある。機械式整列システムは、内部スパインレーザシステム及び後部カメラを含むことがある。特定の実施形態では、後部カメラは、結合システム（例えば、結合ステーション）の映像を提供するように構成されることがあり、また、様々なフィールドデバイス構成及び監視アプリケーションを実行する及び／又は監視することに好適であるコンピュータと通信可能に連結（例えば、有線及び／又は無線）されることがある。内部スパインレーザシステムは、図７を参照して更に詳細に説明するように、１つ又は複数のカメラ（例えば、前部ターゲットカメラ）、少なくとも１つのレーザ及びレーザマウント、１つ又は複数のアクセスポート、及び、１つ又は複数のレーザ用ターゲットを含むことがある。実施形態によっては、内部スパインレーザシステムは、タービントレーラの長さが発電機トレーラと整列されるか否か（例えば、軸の整列）を分析及び／又は決定するように構成されることがあり、また、コンピュータと通信可能に連結されることもある。
【００１６】
ここで、図面に転じると、図１は、機械式結合システム１２及び整列システム１４を図示しているタービンシステム１０の実施形態のブロック図である。機械式結合システム１２は、タービン結合板１６と発電機結合板１８を含む。タービン結合板１６は、タービントレーラ２０に連結することができ、より具体的には、タービントレーラ２０の長さ（例えば、中心長手軸に沿って）を走っているタービントレーラスパイン２２に連結することができる。同様に、機械式結合板１８は、１つ又は複数の結合ピン２４（例えば、ノックピン２４）を有しており、発電機トレーラ２６に連結することができる。トレーラ２０、２６は、例えば、設置現場から試運転の現場に、試運転の現場から遠く離れた場所に、などの１の場所から他の場所に、ターボ機械（例えば、タービンシステム１０の１つ又は複数のセクション）を輸送するように構成することができる。例えば、図示実施形態では、タービントレーラ２０は、タービン２８（例えば、ガスタービンエンジン、蒸気タービン、水力タービン、風力タービン、又は任意のタービンシステム）が発電機３０に連結される前に、タービン２８を動かして発電機３０と整列するように構成することができる。同様に、発電機トレーラ２０は、発電機３０をタービン２８と整列し得る位置に動かすように構成することができる。
【００１７】
上述したように、場所が電気を必要としている緊急の状況中などの状況によっては、タービントレーラ２０及び発電機トレーラ２６は、取り外し、連結、及び／又は再度連結のため、現場でタービン２８及び発電機３０を動かして連結するために利用することができる。例えば、連結前に、発電機３０を支持している発電機トレーラ２６は、動かして第１の位置につくことがある。特定の実施形態では、タービン２８を支持しているタービントレーラ２０は、逆方向３９に動いて発電機トレーラ２６の中に入ることがあり、したがって、タービントレーラ２０のテール端３２（例えば、タービントレーラ２０のヘッド端３４に対する）は、発電機トレーラ２６のテール端３６（例えば、発電機トレーラ２６のヘッド端３８に対する）の方に動く。そういった実施形態では、発電機トレーラ２６は、第１の位置に静止したままにされることがあり、その一方、タービントレーラ２０は、逆方向３９に動いて第１の位置につき、したがって、タービン２８は発電機３０に連結できる。図示実施形態は、発電機２６が静止している間、逆方向３９に動くタービントレーラ２０を説明しているが、理解すべきことは、他の実施形態では、発電機トレーラ２６が、静止しているタービントレーラ２０の方に動くことがあること、及び／又は、両トレーラ２０、２６が、結合プロセス中に互いの方に動くことがあること、である。
【００１８】
実施形態によっては、機械式結合システム１２は、結合プロセス中などのタービントレーラ２０が発電機トレーラ２６と整列されるときに、タービン２８を発電機３０と適切に整列させるのに役立つために、利用されることがある。例えば、機械式結合システム１２は、タービン結合板１６及び発電機結合板１８を含むことがあり、ここで、タービン結合板１６は、タービントレーラ２０のテール端３２に連結されることがあり、発電機結合板１８は、発電機トレーラ２６のテール端３６に連結されることがある。具体的には、特定の実施形態では、タービン結合板１６は、タービントレーラスパイン２２に連結されることがあり、タービントレーラスパイン２２は、タービントレーラ２０の全長（例えば、中心長手軸に沿って）を走っていてもよい。したがって、タービン結合板１６及び発電機結合板１８は、トレーラ２０、２６のテール端３２、３６に沿って配設されることがあり、したがって、トレーラ２０、２６のリアバンパ端に沿って配設される。特定の実施形態では、発電機結合板１８は、雄連結ピースとして構成される結合ピン２４（例えば、１、２、３、４、５、６、７、８、９、１０又はそれより多く）などの１つ又は複数の結合ガイドを含むことがある。１つ又は複数の結合ピン２４は、図２〜５を参照して更に説明したように、雌連結ピースとして構成されたタービン結合板１６上の開口４０（例えば、１、２、３、４、５、６、７、８、９、１０又はそれより多く）などの１つ又は複数の結合ガイドと連結されることがある。図示実施形態では、２つの結合ピン２４は、発電機結合板１８上に配設されると共に、タービン結合板１６上に配設された２つの開口４０と連結するように構成される。したがって、タービントレーラ２０のテール端３２がバックして発電機トレーラ２６の中に入るので、発電機結合板１８上の結合ピン２４は、タービン結合板１６上の開口４０と徐々に連結することができる。一度結合板１６、１８が連結されると、トレーラ２０、２６同士を固定するために、様々な締結ハードウエアが使用できる。そういうことで、一度発電機結合板１８上の結合ピン２４がタービン結合板１６上の開口４０と係合すると、タービントレーラ２０及び発電機トレーラ２６は、広範囲な分野の整列技術の必要なく、効果的に整列される。
【００１９】
実施形態によっては、機械式整列システム１４は、結合プロセス中などのタービン２８が発電機３０に連結されるとき、タービン２８を発電機３０と適切に整列させるのに役立つために、同じく利用されることがある。例えば、整列システム１４は、発電機結合板１８とタービン結合板１６の間の結合プロセスの映像などの結合システム１２の映像を提供するように構成された１つ又は複数の後部カメラ４２を含むことがある。更に、機械式整列システム１４は、１つ又は複数のターゲット４８に向けて方向付けされた１つ又は複数のレーザ４６と、ターゲット４８の映像を提供するように構成された１つ又は複数の前部カメラ５０と、を含んでいる内部スパインレーザシステム４４を含むことがある。特定の実施形態では、内部スパインレーザシステム４４は、タービントレーラスパイン２２の長さ、それによって、タービントレーラ２０及びタービン２８の長さが長手方向又はシステム１０の軸５２に沿って略真っ直ぐであるか否かを決定及び／又は分析するように構成されることがある。実際に、タービン２８を発電機３０と適切に連結できるようにするのに役立つように、タービントレーラスパイン２２の長さを略真っ直ぐにできるようにすることは、有益なことがある。したがって、タービントレーラ２０のテール端３２に近接したタービントレーラスパイン２２の中に配設された１つ又は複数のレーザ４６は、タービントレーラ２０のヘッド端３４に近接したタービントレーラスパイン２２の中に配設された１つ又は複数のターゲット４８に方向付けされることがある。レーザ４６は、均一な光ビーム１０１をターゲット４８に向けて略軸方向５４に提供するように構成されることがある。更に、前部カメラ５０は、ターゲット４８の映像を提供するために方向付けされることがあり、したがって、ユーザ及び／又はオペレータは、図２、３、８、及び９を参照して更に詳細に説明するように、ターゲット４８上の派生した光ビーム１０１を視覚化することができる。
【００２０】
特定の実施形態では、整列システム１４は、コンピュータ５４などの制御システム５３に通信可能に連結されることがある。例えば、後部カメラ４２及び又は前部カメラ５０は、コンピュータ５４に連結されることがある。制御システム５３及び／又はコンピュータ５４は、マイクロプロセッサ及びメモリを含むことがあり、ここでメモリは、実行可能な命令を有する任意の適切な非一時的な有形のコンピュータ可読媒体を含んでいてもよい。コンピュータ５４は、様々なフィールドデバイス構成及び監視アプリケーションを実行することや、技術者や技能者がそれを介してシステム１０の構成要素を監視するオペレータインターフェースを提供することに好適であることがある。コンピュータ５４は、ラップトップ、ワークステーション、タブレットコンピュータ、又は手持ち式携帯デバイス（例えば、個人用デジタル補助装置又は携帯電話）などの、ソフトウエアアプリケーションを実行するのに好適である任意の形式の演算デバイスであることがある。実際に、コンピュータ５４は、様々なハードウエア及び／又はオペレーティングシステムプラットホームのうちのどれを含んでいてもよい。実施形態によっては、コンピュータは、ヒューマンマシンインターフェース（ＨＭＩ）ソフトウエア、製造実行システム（ＭＥＳ）、分散制御システム（ＤＣＳ）、監視制御データ収集（ＳＣＡＤＡ）システムなどの産業制御ソフトウエアをホストすることがある。例えば、後部カメラ４２及び／又は前部カメラ５０によって提供される映像は、制御システム５３内のディスプレイ５６上に表示してもよい。実施形態によっては、コンピュータ５４は、有線及び／又は無線コンジット５８を介して、後部カメラ４２及び／又は前部カメラ５０などの整列システム１４の構成要素と通信可能に連結してもよい。無線コンジット５８は、ＷｉＦｉを含んでいてもよい（例えば、アメリカ電気電子工学会［ＩＥＥＥ］８０２．１１Ｘ、セルラーコンジット（例えば、高速パケットアクセス［ＨＳＰＡ］、ＨＳＰＡ＋、ロングタームエボリューション［ＬＴＥ］、ＷｉＭａｘ）、近距離無線通信（ＮＦＣ）、ブルートゥース(登録商標）、パーソナルエリアネットワーク（ＰＡＮｓ）など）。無線コンジット５８は、ＴＣＰ／ＩＰ、ＵＤＰ、ＳＣＴＰ、ソケット層などの様々な通信プロトコルを使用することがある。有線コンジット５８は、独占のケーブル布線、ＲＪ４５ケーブル布線、同軸ケーブル、ファイバ光ケーブルなどを含むことがある。特定の実施形態では、制御システム５３と無線及び／又は有線コンジット５８は、セキュアソケット層（ＳＳＬ）、仮想プライベートネットワーク（ＶＰＮ）層、暗号化された層、チャレンジキー認証層、トークン認証層などのセキュア層とデータを通信することがある。
【００２１】
図２は、図１の機械式結合システム１２の実施形態の概略図であり、ここで機械式結合システム１２は、タービントレーラ２０に連結されたタービン結合板１６を含み、タービン結合板１６は、発電機トレーラ２６に連結された発電機結合板１８に向かって動く。図１を参照して上述したように、タービントレーラ２０は、逆方向３９に動くように構成されることがあり、したがって、タービントレーラ２０のテール端３２は、静止している発電機トレーラ２６のテール端３６に向かって動く。このように、結合システム１２は、結合プロセス中及び後にタービン２８を発電機３０と整列させるのに役立つように構成されることがある。具体的には、結合システム１２は、結合ピン２４などの１つ又は複数の結合ガイドを有する発電機結合板１８と、開口４０などの１つ又は複数の結合ガイドを有するタービン結合板１６と、を含むことがある。タービントレーラ２０が発電機トレーラ２６に向かって逆方向３９に動くとき、発電機結合板１８上の１つ又は複数の結合ピン２４は、タービン結合板１６上の１つ又は複数の開口４０を案内するように構成されたガイドピース（例えば、連結ピース）として利用されることがある。特に、ガイドピースは、係合を案内するのに役立つことがあり、結合板１６、１８の適切な整列を確実にすることがある。実施形態によっては、留意すべきことは、ガイドピース（例えば、１つ又は複数の結合ピン２４）が、発電機結合板１８上に配設されることがあり、その一方、１つ又は複数の開口４０が、タービン結合板１６上に配設される、ということである。
【００２２】
特定の実施形態では、整列システム１４の後部カメラ４２は、タービントレーラ２０が発電機トレーラ２６に向かって逆方向３９に動くとき（例えば、結合プロセス中）、結合システム１２の映像を制御システム４３に提供するように構成されることがある。そういった実施形態では、結合システム１２の映像は、逆方向３９のタービントレーラ２０の進行を調整するためにオペレータ及び／又は技術者によって利用されることがある。例えば、状況によっては、タービントレーラ２０は、結合ピン２４が１つ又は複数の開口４０と長手軸５２に沿って整列していないで、逆方向３９に動いていることがある。そういった状況では、タービントレーラ２０の進行は、結合ピン２４が長手軸５２に沿って整列して開口４０と連結するように構成されているように、調整又は変更されることがある。したがって、結合ピン２４は、タービントレーラ２０を発電機トレーラ２６に連結、したがって、タービン２８を発電機３０に連結、するプロセス中の基準点及び／又はレジスタとして、構成及び／又は利用されることがある。実際に、結合ピン２４及び開口は、タービン２８と発電機３０間の適切な整列を確実にするガイド又は整列構造として機能するように構成されることがある。
【００２３】
図３は、図１の機械式結合システム１２の実施形態の概略図であり、ここで機械式結合システム１２は、開口４０の中に配設された結合ピン２４（例えば、ノックピン２４）などの１つ又は複数の対の嵌合式結合ガイドを介して、発電機結合板１８に連結されたタービン結合板１６を含む。連結された結合システム１２の図示実施形態では、発電機結合板１８の前面６０は、タービン結合板１６の前面６２に対して鉛直軸５５に沿って実質上平行であることがある。更に、結合板１６、１８の前面６０、６２は、実質上相補的である及び／又は対にされることがあり、したがって、結合板１６、１８間の距離は、トレーラ２０、２６が連結されるときに最小になる。特定の実施形態では、トレーラ２０、２６が連結（例えば、結合ピン２４は、開口４０内に固定）されて、その後に、締結ハードウエア６４（例えば、ナット、ボルト、スクリュ、ラッチ、ファスナなど）は、板１６、１８を連結位置に固定するために利用されることがある。
【００２４】
特定の実施形態では、結合ピン２４及び開口４０は、結合プロセス中に発電機トレーラ２６に対してタービントレーラ２０がそれ自体を中心に集めるのに役立つように構成されることがある。例えば、結合ピン２４の形状は、先細又は円錐になっていることがあり、したがって、逆方向３９に動くタービントレーラ２０は、結合ピン２４の先端６６から基部６８まで動くときに、より大きな位置許容度を有する。したがって、結合ピン２４の先細縁部は、整列中に開口の中に徐々に挿入するのに役立つことがある。更に、結合ピン２４の長さ７０は、結合ピン２４が板１６、１８を固定連結できるようにするために、タービン結合板１６の後面７２よりも更に延びることがある。他の実施形態では、結合ピン２４は、任意の形状（例えば、円筒状、矩形状、先細円錐状など）であることがあり、長さ６６は、タービン結合板１６の後面７２を過ぎて延びることがある。特定の実施形態では、円錐状の結合ピン２４の基部部分６８は、タービン結合板１６の後面７２を過ぎて延びる円筒状の基部であることがある。
【００２５】
特定の実施形態では、タービン結合板１６は、サポートと構造上の完全性とをタービン結合板１６に提供するように構成された１つ又は複数の実装ウイング（図５に図示）と１つ又は複数の実装側板７４とを含むことがある。具体的には、実装側板７４は、タービン結合板１６をタービントレーラスパイン２２に固定するように構成されることがある。実装側板７４は、１つ又は複数の取り外し式の締結ハードウエア６４（例えば、ナット、ボルト、スクリュ、ファスナなど）を介して、タービントレーラスパイン２２の１つ又は複数の側壁７６に固定されることがあり、及び／又は、実装側板７４は、溶接ジョイントを介して側壁７６に定着されることがある。
【００２６】
図４は、図１の発電機結合板１８の実施形態の斜視図であり、２つの結合ピン２４と、締結ハードウエア６４を受け入れるように構成された複数の穴７８と、を図示している。例えば、一度板１６、１８が、整列（例えば、結合ピン２４がタービン結合板１６の開口４０内に固定され）して互いに連結されると、締結ハードウエア６４（例えば、ボルト）の１つ又は複数のピースは、板１６、１８を互いに固定するために穴７８を通して挿入されることがある。
【００２７】
特定の実施形態では、発電機結合板１８の長さ８０は、略１２０ｃｍ〜１５０ｃｍ、１５０ｃｍ〜１８０ｃｍ、又は１８０ｃｍ〜２００ｃｍであることがある。更に、発電機結合板１８の高さ８２は、略４５ｃｍ〜５０ｃｍ、５０ｃｍ〜６０ｃｍ、又は６０ｃｍ〜７５ｃｍであることがあり、発電機結合板１８の幅８４は、略１ｃｍ〜３ｃｍ、３ｃｍ〜５ｃｍ、又は５ｃｍ〜８ｃｍであることがある。加えて、結合ピン２４の基部部分６８は、直径が略１ｃｍ〜３ｃｍ、３ｃｍ〜５ｃｍ、又は５ｃｍ〜８ｃｍの真っ直ぐな円筒状部分であることがある。実施形態によっては、結合ピン２４の基部部分６８は、タービン結合板１６の幅８４を過ぎて延びることがあり、また、板１６、１８が適切且つ完全に互いに連結されるのを確実にするように構成されることがある。
【００２８】
図５は、図１のタービン結合板１６の実施形態の斜視図であり、結合ピン２４用の２つの開口４０、側板７４、及び実装ウイング８６を図示している。上述したように、タービントレーラ２０のテール端３２がバックして発電機トレーラ２６の中に入るので、発電機結合板１８上の結合ピン２４は、タービン結合板１６上の開口４０と徐々に連結することができる。一度結合板１６、１８が連結されると、結合板１６、１８同士を固定するために、様々な締結ハードウエアが使用できる。例えば、１つ又は複数の締結ハードウエア６４（例えば、ナット、ボルト、スクリュ、ラッチ、ファスナなど）は、図６を参照して更に説明するように、タービン結合板１６を発電機結合板１８に固定するために利用されることがある。
【００２９】
特定の実施形態では、実装側板７４は、１つ又は複数の締結ハードウエア６４（例えば、ナット、ボルト、スクリュ、ラッチ、ファスナなど）を介して、タービントレーラスパイン２２の１つ又は複数の側壁７６に固定されることがある。図示される実施形態では、複数の穴７８は、実装側板７４上に配設されることがあり、また、実装側板７４をタービントレーラスパイン２２の１つ又は複数の側壁７６（図３）に固定するために、締結ハードウエア６４（例えば、ボルト）によって利用されることがある。他の実施形態では、実装側板７４は、１つ又は複数の側壁７６に溶接されることがある。更に、実施形態によっては、実装側板７４は、実装ウイング８６に、溶接される、及び／又は、締結ハードウエア６４（例えば、ボルト）を介して連結される、ことがあり、また、サポートと構造上の完全性とを板１６、１８に提供するように構成されることがある。特定の実施形態では、実装ウイング８６及び側板７４は、互いに溶接されることがある。実施形態によっては、任意の数の追加の整列板８８は、結合ステーション１２をトレーラ２０、２６に整列させるのに役立つように構成されたレジスタ整列板８８などの結合板１６、１８に連結されることがある。例えば、タービン結合板１６上に配設されたレジスタ整列板８８は、タービン結合板１６の長さをタービントレーラ２０に整列させるように構成されることがある。
【００３０】
特定の実施形態では、タービン結合板１６の長さ８０は、略１２０ｃｍ〜１５０ｃｍ、１５０ｃｍ〜１８０ｃｍ、又は１８０ｃｍ〜２００ｃｍであることがある。更に、タービン結合板１６の高さ８２は、略４５ｃｍ〜５０ｃｍ、５０ｃｍ〜６０ｃｍ、又は６０ｃｍ〜７５ｃｍであることがあり、タービン結合板１６の幅８４は、略１ｃｍ〜３ｃｍ、３ｃｍ〜５ｃｍ、又は５ｃｍ〜８ｃｍであることがある。
【００３１】
図６は、図１の機械式結合システム１２の実施形態の概略図であり、整列基準フレーム９０を更に図示している。特定の実施形態では、結合システム１２は、整列フレーム９０を含むことがあり、それは、設置の段階中などのタービン２８及び発電機３０の組み立て中のタービントレーラ２０及び発電機トレーラ２６の整列のための基準点を提供するように構成されることがある。例えば、整列フレーム９０は、製造の段階中の最初の組み立て中などの最初の組み立て（例えば、設置の段階）中にタービントレーラ２０及び発電機トレーラ２６を最初に整列（例えば、事前整列）させるために使用されることがある。整列フレーム９０は、第１の円板９２（例えば、タービン円板９２）と、タービンフランジを模倣するように構成された第２の円板９４（例えば、発電機円板９４）と、を含むことがある（それぞれ（例えば、発電機３０及び発電機フランジと連結するように構成されたタービン２８の部分）と（例えば、タービン２８と連結するように構成された発電機３０の部分））。例えば、整列フレーム９０は、それらのそれぞれのトレーラ２０、２６上の共通の配向及び／又は位置で回転軸基準に沿ってタービン２８及び発電機３０を整列させるのに役立つことがある。したがって、タービン２８及び／又は発電機３０の保全、修理、再連結又は交換（例えば、試運転の段階）に起因するなどのタービントレーラ２０及び発電機トレーラ２６を介したタービン２８及び発電機３０のその後の整列は、高信頼度の整列再現性を備えて行うことができる。例えば、最初の設置の段階中に整列フレーム９０を利用することにより、第１のタービントレーラ２０は、第２のタービントレーラ２０の最初の設置の段階中に第１のタービントレーラ２０と同じ整列フレーム９０が使用されていたことを条件に、暫く経ってから（例えば、試運転の段階中）第２のタービントレーラ２０と交換することが可能になる。そういうことで、トレーラ２０、２６を事前整列させるために設置の段階中に整列フレーム９０を利用することは、試運転の段階中に現場でトレーラ２０、２６を整列させる必要性を排除するのに役立つことがあり、したがって、それらのそれぞれのトレーラ２０、２６に配設されたタービン２８及び発電機３０の現場整列時間を短縮するのに役立つ。このように、特定の実施形態では、結合システム１２の整列フレーム９０は、トレーラ２０、２６の最初の設置のための基準点として構成されることがあり、また、試運転の段階中の全車中のタービントレーラ２０の交換の自由度を増大させると共にシステム１０構成要素の休止時間を短縮させるのに役立つことがある。
【００３２】
特定の実施形態では、整列フレーム９０は、１つ又は複数の支持ロッド９６が基部９８で結合板１６、１８（例えば、タービン結合板１６及び発電機結合板１８）に連結された「Ａ」形状のフレーム構成になっていることがある。留意すべきことは、他の実施形態では、整列フレーム９０は、他の幾何的構成（例えば、三角形、矩形、円形など）のフレーム構成などの他のフレーム構成であることがある、ということである。更に、１つ又は複数の支持ロッド９６は、第１の円板９２（例えば、タービン円板９２）と、第２の円板９４（例えば、発電機円板９４）と、に連結されることがある。タービン円板９２は、タービンフランジ（例えば、発電機３０と連結するように構成されたタービン２８の部分）を真似るように構成されることがあり、発電機円板９４は、発電機フランジ（例えば、タービン２８と連結するように構成された発電機３０の部分）を真似るように構成されることがある。特に、整列フレーム９０は、タービン２８及び発電機３０用の固定の基準点１００を提供するように構成されることがあり、トレーラ２０、２６は、タービン２８が発電機３０と整列しながら整列することができる。例えば、タービン円板９２は、タービンフランジ用の基準点１００として構成されることがあり、その一方、発電機円板９４は、発電機フランジ用の基準点１００として構成されることがある。特定の実施形態では、整列フレーム９０は、タービン２８及び発電機３０が結合ステーション１２に対して共通の配向にあるように回転基準軸に沿ってタービン２８及び発電機３０を整列させるのに役立つことがある。特定の実施形態では、様々な整列技術が、タービン２８を発電機３０と整列させるために整列フレーム９０を用いて、利用されることがある。例えば、ダイアルインジケータ、レーザシステムなどの整列技術。
【００３３】
図７は、図１の整列システム１４の実施形態の概略図であり、ここで整列システム１４は、後部カメラ４２及び内部スパインレーザシステム４４を含む。図１を参照して上述したように、後部カメラ４２は、結合プロセス中にコンピュータ５４に結合システム１２（例えば、タービン結合板１６及び発電機結合板１８）の映像を提供するように構成されることがある。実施形態によっては、内部スパインレーザシステム４４は、１つ又は複数の光源４６（例えば、レーザ４６）、１つ又は複数の前部カメラ５０、及び１つ又は複数のターゲット４８を含む。内部スパインレーザシステム４４のレーザ４６は、ターゲット４８に向けて前部方向１０２に方向付けされることがあり、前部カメラ５０は、ターゲット４８の映像をコンピュータ５４に提供するように構成されることがある。したがって、実施形態によっては、整列システム１４は、結合プロセス中の発電機３０に対するタービン２８の整列状態を分析及び／又は決定するのに役立つように構成されることがある。例えば、後部カメラ４２は、発電機結合板１８に向けた逆方向３９のタービン結合板１６の進行などの結合プロセスが整合しているか否かを分析及び／又は決定するために利用されることがある。更に、内部スパインレーザシステム４４は、タービントレーラ２０のタービントレーラ長さ１０４（例えば、略９メートル〜１３メートル、１３メートル〜１５メートル、１５メートル又はそれより長い）が長手方向５２（例えば、長手軸）に沿って略真っ直ぐであるか否かを決定及び／又は分析するように構成されることがある。実際に、有益であるかもしれないことは、タービントレーラスパイン２２の長さ１０４が、結合プロセス中（例えば、設置及び／又は試運転の段階中）の発電機３０に対するタービン２８の適切な連結を確実にするのに役立つために、略真っ直ぐであり、したがって、タービン２８及び発電機３０の回転軸が互いに並んでいる、ということを確実化することである。
【００３４】
したがって、タービントレーラ２０のテール端３２に近接したタービントレーラスパイン２２の中に配設された１つ又は複数のレーザ４６は、タービントレーラ２０のヘッド端３４に近接したタービントレーラスパイン２２の中に配設された１つ又は複数のターゲット４８に方向付けされることがある。レーザ４６は、均一な光ビーム１０１をターゲット４８に向けて略前部方向１０２に提供するように構成されることがある。更に、前部カメラ５０は、ターゲット４８の映像をコンピュータ５４に提供するために方向付けされることがあり、したがって、ユーザ及び／又はオペレータは、図８を参照して更に詳細に説明するように、ターゲット４８上の派生した光ビーム１０１を視覚化することができる。実施形態によっては、レーザ４６は、ターゲット４８に向けて前部方向１０２に、長手軸５２に略沿って、真っ直ぐな光ビーム１０１を照射するように構成された任意の形式の光源であることがある。ターゲット４８は、任意の材料（例えば、アルミニウム合金）でできたシートであることがあり、また、ターゲット４８の表面に対して派生した光ビーム１０１が良好な可視性を有することができる表面コーティングを有することがある。加えて、特定の実施形態では、内部スパインレーザシステム４４は、ターゲット４８上に光を当てるように構成された１つ又は複数の光源１０３（例えば、発光ダイオード（ＬＥＤｓ）又は任意の他の光の源泉）を含むことがあり、したがって、前部カメラ５０は、ターゲット４８の良好な映像をコンピュータ５４に提供することができる。更に、レーザシステム４４は、１つ又は複数のアクセスポート１０５を含むことがあり、それは、保全、修理、交換などのために前部カメラ５０、ターゲット４８、及び／又は光源１０３にアクセスするために、コンピュータ、オペレータ及び／又はユーザによって利用されることがある。
【００３５】
実施形態によっては、ターゲット４８上の光ビーム１０１の場所は、タービントレーラ２０及びタービントレーラスパイン２２の整列状態を示すことがある。特に、前部カメラ５０は、コンピュータ５４にターゲット４８上の光ビーム１０１の場所の映像を提供するように構成されることがあり、したがって、コンピュータ５４とやりとりをしているオペレータ及び／又はユーザは、タービントレーラ２２の整列状態を視覚化できる。状況によっては、コンピュータ、オペレータ及び／又はユーザは、結合プロセス中に整列状態及び／又はタービントレーラ２０の逆方向３９の移動を調整してタービン２９及び発電機３０が適切に連結されるように、前部カメラ５０から情報を受け取るコンピュータ５４を利用することができる。例えば、コンピュータは、カメラからの情報を分析して、整列状態及び／又はタービントレーラ２０の移動に関する提案を提供することができる。実施形態によっては、タービントレーラ長さ１０４の整列状態は、様々な方向に沿って真っ直ぐであることがある（例えば、真っ直ぐ、角度付き又は鉛直に折り上げ、角度付き又は鉛直に折り下げ、水平方向右に曲げ、水平方向左に曲げなど）。例えば、タービントレーラ２０の整列状態は、長手軸５２に沿って略真っ直ぐに沿っていることがある。状況によっては、タービントレーラ２２の整列状態は、上向き鉛直弓形（ｕｐｗａｒｄ  ｖｅｒｔｉｃａｌ  ｂｏｗ）１０６又は下向き鉛直弓形（ｄｏｗｎｗａｒｄ  ｖｅｒｔｉｃａｌ  ｂｏｗ）１０８などの鉛直方向５５に任意の度数（例えば、１度〜５度、５度〜１０度、１０度〜１５度、１５度〜２０度など）で上又は下に略角度付けされることがある。状況によっては、タービントレーラ２２の整列状態は、右横方向１１０又は左横方向１１２などの水平方向５７に略曲げられることがある。タービントレーラ２０の整列状態が長手軸５２に略沿っていない（例えば、ターゲット４８上の正しくない場所）状況では、タービントレーラ２０の移動は、タービントレーラスパイン２２を長手軸５２に沿って適切に真っ直ぐにするために調整されることがある。
【００３６】
図８は、図１のコンピュータ５４及びディスプレイ５６の実施形態の概略図であり、ターゲット４８の前部カメラ５０から受け取った映像を図示している。図１を参照して上述したように、後部カメラ４２及び／又は前部カメラ５０は、コンピュータ５４に連結されることがある。コンピュータ５４は、ラップトップ、ワークステーション、タブレットコンピュータ、又は手持ち式携帯デバイス（例えば、個人用デジタル補助装置又は携帯電話）などの、ソフトウエアアプリケーションを実行するのに好適である任意の形式の演算デバイスであることがある。コンピュータ５４は、様々なフィールドデバイス構成及び監視アプリケーションを実行することや、技術者や技能者がそれを介してシステム１０の構成要素を監視するオペレータインターフェースを提供することに好適であることがある。例えば、技術者や技能者は、ディスプレイ５６を介してタービントレーラ２０の整列状態を視覚化でき、ここでディスプレイは、レーザ４６から光ビーム１０１を受けるターゲット４８の映像を映し出すことができる。更に、逆方向３９のタービントレーラ２０の移動は、カメラ４２、５０によって提供される整列状態の映像に基づいて調整されることがある。図示実施形態は、タービントレーラ２０の移動及び整列を示しているが、理解すべきことは、他の実施形態では、本明細書で説明した技術は、発電機トレーラ２６及び／又はタービントレーラ２０に連結された発電機トレーラ２６の整列状態を監視及び／又は調整するために利用することができる、ということである。
【００３７】
実施形態によっては、ターゲット４８は、タービントレーラ２０の整列状態を代表する１つ又は複数（例えば、１、２、３、４、５、６、７、８、又はそれより多く）の領域を含むことがある。例えば、ターゲット４８は、整列状態を代表する第１の領域４８ａ、第２の領域４８ｂ、第３の領域４８ｃ、第４の領域４８ｄ、及び第５の領域４８ｅを含むことがある。状況によっては、レーザ４６から照射された光ビーム１０１は、第１の領域４８ａ又は第２の領域４８ｂ内のターゲット４８に当たることがあり、それは、タービントレーラ２２の整列状態が左横方向１１２などの水平方向５７に略曲がっているかもしれない、ということを示すことができる。状況によっては、例えば、レーザ４６から照射された光ビーム１０１は、第３の領域４８ｃ又は第４の領域４８ｄ内のターゲット４８に当たることがあり、それは、タービントレーラ２２の整列状態が右横方向１１０などの水平方向５７に略曲がっているかもしれない、ということを示すことができる。同様に、状況によっては、例えば、ターゲット４８上の光ビーム１０１の場所は、鉛直方向５５に上又は下に角度付け（例えば、上向き鉛直弓形１０６又は下向き鉛直弓形１０８）されたタービントレーラ２２の整列状態などの他の整列状態を示すことがある。特に、ターゲット４８は、第５のターゲット領域４８ｅなどの許容度ボックス（ｔｏｌｅｒａｎｃｅ  ｂｏｘ）を含むことがあり、それは、タービントレーラ２０が長手軸５２に沿って略真っ直ぐである、ということを示すことができる。例えば、図示実施形態では、光ビーム１０１は、許容度ボックス内にあり、それによって、ディスプレイ５６を見ている技術者又は技能者には、タービントレーラ２０が長手軸５２に沿って略真っ直ぐであるということが示される。
【００３８】
実施形態によっては、結合プロセス中のタービントレーラ２０の移動（例えば、或いは、発電機トレーラ２６及び／又は両トレーラ２０、２６の移動）は、カメラ４２、５０によって提供される整列状態の映像に基づいて調整されることがある。例えば、状況によっては、タービントレーラ２０の整列状態は、上向き鉛直弓形１０６方向又は下向き鉛直弓形１０８方向であることがある。状況によっては、タービントレーラ２０は、トレーラ２０のタイヤ空気圧及び／又は着陸装置を調整することによって鉛直方向に調整されることがある。例えば、トレーラ２０の様々な輸送用構成要素は、様々な度合いの鉛直方向５５（例えば、上向き鉛直弓形１０６又は下向き鉛直弓形１０８）のトレーラ２０の誤整列を補償するために、鉛直方向５５に移動及び／又は調整されることがある。状況によっては、タービントレーラ２０の整列状態は、右横方向１１０又は左横方向１１２などの水平方向５７に曲げられることがある。状況によっては、タービントレーラ２０は、１つ又は複数の両トレーラ２０、２６を真っ直ぐさせることによって水平方向に調整されることがある。例えば、タービントレーラ２０は、逆方向３９に移動されて結合プロセスが続けられる前に、タービントレーラ２０及び／又は発電機トレーラ２６を真っ直ぐにするために前部方向１０２に引かれることがある。
【００３９】
図９は、タービン２８に連結されて、結合システム１２の設置の容易さを向上するのに役立つように構成された輸送ツール１１４の実施形態の概略図である。特定の実施形態では、輸送ツール１１４は、タービン２８のフランジに連結されたＵボルト１１６を含む連結クレードル１１４であることがある。連結クレードル１１４は、タービン２８及び発電機３０の結合及び／又は連結プロセス中にタービン２８を固定するように構成されることがある。実施形態によっては、連結クレードルは、連結及び／又は結合プロセス中のタービン２８の移動を減らすために１つ又は複数のウェッジ１１８を含む。更に、連結クレードルは、連結クレードルをタービン２８に連結するように構成されたアタッチメントポイント２８を含む。
【００４０】
図１０は、トレーラ２０、２６が事前整列されている設置の段階中に図１の結合システム１２を支持するように構成された設置ツール１２２の実施形態の概略図である。上述したように、特定の実施形態では、タービントレーラ２０及び発電機トレーラ２６は、設置の段階中に事前整列されることがある。設置ツール１２２は、１つ又は複数のクランプ１２４と、１つ又は複数のストッパ付きキャスタ１２４と、１つ又は複数の調整スクリュ１２６と、を含んでいる結合ステーションドーリ１２２であることがある。クランプ１２４は、設置の段階中に結合板１６、１８を支持及び／又は保持するように構成されることがある。例えば、各結合板１６、１８は、結合板１６、１８を支持及び保持するために前面及び後面上の２つのクランプ１２４を利用することがある。ストッパ付きキャスタ１２４は、卓越した自由度を備えて結合ステーションドーリ１２２を結合プロセスの現場まで運ぶように構成されることがある。ストッパ付きキャスタ１２４の個々の調整スクリュ１２６は、結合プロセス中に結合板１６、１８を調整するように構成されることがある。
【００４１】
本発明の技術的な効果は、タービントレーラ２８を発電機トレーラ３０と整列させる、したがって、トレーラ２０上のタービン２８（例えば、回転シャフト）をトレーラ２６上の発電機３０と整列させる、ように構成された機械式整列システム１４及び機械式結合システム１２を含む。実施形態によっては、機械式結合システム１２（例えば、結合ステーション）は、タービントレーラ２８に連結されたタービン結合板１６と、発電機トレーラ２６に連結された発電機結合板１８と、を含むことがある。タービン結合板１６は、１つ又は複数の実装板を介して、タービントレーラ２０のタービントレーラスパインに連結されることがある。更に、発電機結合板１８は、タービントレーラ２０が、静止している発電機トレーラ２６の方へ逆方向３９に動くとき、タービン結合板１６上の１つ又は複数の開口４０と係合する１つ又は複数の結合ピン２４（例えば、ノックピン）を含むことがある。実施形態によっては、結合システム１２は、トレーラ２０、２６の設置の段階中のタービントレーラ２０及び発電機トレーラ２６用の整列のための基準点を提供するように構成された静止型の整列基準フレーム９０を含むことがある。したがって、試運転の段階中のタービントレーラ２０及び発電機トレーラ２６を介したタービン２８及び発電機３０のその後の連結は、より高信頼度の整列再現性を備えて行うことができ、トレーラシステムの自由度を向上させると共に整列スケジュール間の休止時間を量的に短縮させる。更に、試運転（例えば、現場で）の段階中のタービン２８の、発電機３０とのその後の連結は、追加の整列を要求することがない。
【００４２】
機械式整列システム１４は、タービントレーラスパイン２２の中に配設してもよく、また、タービントレーラ２０及び／又は発電機トレーラ２６の整列状態を分析及び／又は決定するように構成してもよい。機械式整列システム１４は、内部スパインレーザシステム４４及び後部カメラ４２を含むことがある。内部スパインレーザシステム４４は、前部ターゲットカメラ５０、レーザ４６、及びターゲット４８を含むことがある。実施形態によっては、内部スパインレーザシステム４４は、タービントレーラ２０の長さ１０４が発電機トレーラ２６と整列されるか否かを分析及び／又は決定するように構成されることがある。カメラ４２、５０は、制御システム５３及び／又はコンピュータ５４に通信可能に連結されることがあり、また、結合プロセス中のシステム１０構成要素の映像を提供するように構成されることがあり、したがって、技術者や技能者は、結合プロセス中にシステム１０構成要素を適切に調整することができる。
【００４３】
ここに記載した説明は、例を用いて、最良の形態を含めて本発明を開示していると共に、任意のデバイスやシステムを作製及び使用することと任意の組み入れた方法を実行することとを含めて任意の当業者が本発明を実施できるようにもしている。特許性を有する本開示の範囲は、特許請求の範囲によって画定され、当業者の想到する他の例を含むことができる。そういった他の例は、特許請求の範囲の文字通りの用語と異ならない構造要素を有する場合に、或いは、特許請求の範囲の文字通りの用語に対する差異の実体がない等価な構造要素を含む場合に、特許請求の範囲の範囲内にあることを意図している。
【符号の説明】
【００４４】
１０  タービンシステム
１２  （機械式）結合システム
１４  （機械式）整列システム
１６  タービン結合板
１８  発電機結合板
２０  タービントレーラ
２２  タービントレーラスパイン
２４  結合ピン
２６  発電機トレーラ
２８  タービン
３０  発電機
３２  テール端
３４  ヘッド端
３６  テール端
３８  ヘッド端
３９  逆方向
４０  開口
４２  （後部）カメラ
４４  内部スパインレーザシステム
４６  レーザ
４８  ターゲット
５０  （前部）カメラ
５２  軸
５３  制御システム
５４  コンピュータ
５５  鉛直軸
５６  ディスプレイ
５７  水平方向
５８  （有線／無線）コンジット
６０  前面
６４  締結ハードウエア
６６  先端
６８  基部
７０  長さ
７２  後面
７４  実装側板
７６  側壁
７８  穴
８０  長さ
８２  高さ
８４  幅
８６  実装ウイング
８８  レジスタ整列板
９０  整列フレーム
９２  第１の円板
９４  第２の円板
９８  基部
１００  基準点
１０１  光ビーム
１０２  前部方向
１０３  光源
１０５  アクセスポート
１１４  輸送ツール
１１６  Ｕボルト
１２２  設置ツール
１２４  ストッパ付きキャスタ
１２６  調整スクリュ
【図１】
0006705811.tif 000002
【図２】
0006705811.tif 000003
【図３】
0006705811.tif 000004
【図４】
0006705811.tif 000005
【図５】
0006705811.tif 000006
【図６】
0006705811.tif 000007
【図７】
0006705811.tif 000008
【図８】
0006705811.tif 000009
【図９】
0006705811.tif 000010
【図１０】
0006705811.tif 000011